(57)【要約】【課題】頬や口唇周り等の顔面所定部位を外側と内側から圧迫し刺激を与えることで、容易で効率よく、衛生的にマッサージすることができる美顔マッサージ器具を提供することにある。【解決手段】押圧部９，１０と指穴１３，１４を備え、軸４を支点として一定角度まで回動自在とする。咬合部１１に突起を設け、握持部１５は非対称な形状にして、握持方向を示唆する。押圧部９、１０で口内と外側から圧迫し、挟み込むようにしてマッサージしたり、挟んだ状態で摺動させるなど様々に動かすことによって効率よく刺激を与えられ、各部位の脂肪を刺激し遊離脂肪酸への分解促進、血行促進、肌の弛み取り等の効果を奏する。【選択図】図２
2011083521.tif 000002
【特許請求の範囲】
【請求項１】
押圧部を有し、頬や口唇の周辺等の顔面所定部位を口内とその外側から挟み込むことを
特徴とした美顔マッサージ器。
【請求項２】
押圧部内側の片一方もしくは両方の咬合部に、単数及び複数の突起や凹みを有すること
を特徴とする請求項１の美顔マッサージ器。
【請求項３】
目的箇所以外の口唇等を、挟み込むことのないように隙間を設けて構成される請求項１
及び請求項２の美顔マッサージ器。
【請求項４】
押圧部内側の咬合部に設けた突起に回転自在体を有することを特徴とする請求項１〜３
の美顔マッサージ器。
【請求項５】
美顔マッサージ器の押圧部内側及び背面に、磁気作用や遠赤外線、又はマイナスイオン
を発生するもの、トルマリンやゲルマニウムなど健康や美容に効果がある材質を使用して
その効果を付加させたことを特徴とする請求項１〜４記載の美顔マッサージ器。
【発明の詳細な説明】
【技術分野】
【０００１】
本発明は、頬や口唇周り等の顔面所定部位を外側と内側から圧迫し刺激を与えることで
、中性脂肪の遊離脂肪酸への分解促進、血行促進、肌の弛み取り等の効果を生じさせる頬
の外側と口内から挟む美顔マッサージ器具に関するものである。
【背景技術】
【０００２】
従来の一般向け美顔マッサージ器は、ローラーやボールを肌に当てて回転させたり、
ブラシで肌を擦動したり、吸引部材にて吸引するなどの美顔マッサージ器があり、特許
文献１〜４にて開示されている。
【０００３】
特許文献５に開示されているもののように、内側からのマッサージをする器具もある
が、与えた圧迫は口内から外側へ逃げてしまう為、非効率であった。
【０００４】
上記いずれの器具もその他も顔の外側及び口内かどちらか一方より刺激や圧迫を与える
ことによって美容マッサージを行っていた。ところが、外側と口内から挟みマッサージす
るといったものはなく、人体は柔軟である為一方から与えた刺激や力は他方へ逃げてしま
い効果が低く、マッサージする時間が長くなることや、より強く力をかけなければならな
いなど非効率であった。
【０００５】
また、マッサージのひとつに指を口内に直接入れて外側と口内から挟んで揉む口内マッ
サージがあり、その際、不衛生であったり手を洗うなど手間がかかるものであった。
【先行技術文献】
【特許文献】
【０００６】
【特許文献１】特開２００３−３８５９６号公報
【特許文献２】特開２００２−１４２８６４号公報
【特許文献３】特開２００２−１４２８６４号公報
【特許文献４】実用新案登録第３１０６５８９号公報
【特許文献５】特開２００９−１９５６６０号公報
【発明の概要】
【発明が解決しようとする課題】
【０００７】
本発明が解決しようとする課題は、上述した従来技術の問題点を解消し、併せて、容易
且つ効果的で更に衛生的にマッサージを行える美顔マッサージ器具を提供することにある。
【課題を解決するための手段】
【０００８】
かかる課題を解決した本発明の構成は
１）押圧部を有し、頬や口唇の周辺等の顔面所定部位を口内とその外側から挟み込む
ことを特徴とする美顔マッサージ器。
２）押圧部内側の片一方もしくは両方の咬合部に、単数及び複数の突起や凹みを有す
ることを特徴とする前記１）記載の美顔マッサージ器
３）目的箇所以外の口唇等を、挟み込むことのないように隙間を設けて構成されること
を特徴とする前記１）及び前記２）記載の美顔マッサージ器。
４）押圧部内側の咬合部に設けた突起に回転自在の機構を有することを特徴とする
前記１）〜３）記載の美顔マッサージ器。
５）押圧部内側及び背面に、磁気作用や遠赤外線、又はマイナスイオンを発生するもの、
トルマリンやゲルマニウムなど健康や美容に効果がある材質を使用してその効果を付加
させたことを特徴とする請求項１）〜４）記載の美顔マッサージ器
【発明の効果】
【０００９】
本発明の美顔マッサージ器具は、指穴に指を嵌め込み握持し、頬等所定位置を挟み
込むようにして使用者の望む強さで揉むことができ、押圧部の咬合箇所に突起を設けて
あるので押圧などの刺激を余すことなく伝えることから中性脂肪の遊離脂肪酸への分解
促進・血行促進・肌の弛み防止等の効果を効率よく上げられるという利点がある。
【００１０】
また、口内のマッサージをするにあたって、指を直接口内に入れることがなく、押圧部
の面積を指よりも広く取ってある為、指でマッサージする以上に効率がよく、衛生的に
行えるという利点がある。
【図面の簡単な説明】
【００１１】
【図１】本発明に係わる美顔マッサージ器の一例の閉じた状態の全体正面図である。
【図２】本発明に係わる美顔マッサージ器の一例を開いて使用した状態の全体正面図である。
【図３】実施例１の美顔マッサージ器の開いた状態の全体正面図である。
【図４】実施例１の美顔マッサージ器の咬合部の一例の斜視図である。
【図５】図４に示した美顔マッサージ器の咬合部の断面図である。
【図６】実施例１の美顔マッサージ器の咬合部の一例の斜視図である。
【図７】実施例１の美顔マッサージ器の咬合部の一例のイメージ図である。
【図８】実施例１の美顔マッサージ器の咬合部の一例のイメージ図である。
【図９】実施例１の美顔マッサージ器の咬合部の一例のイメージ図である。
【図１０】実施例２の美顔マッサージ器の閉じた状態の全体正面図である。
【図１１】実施例２の美顔マッサージ器の咬合部の一例の斜視図である。
【図１２】実施例２の美顔マッサージ器の咬合部の一例の斜視図である。
【図１３】実施例３の美顔マッサージ器の別形状の一例の全体正面図である。
【図１４】実施例３の美顔マッサージ器の別形状の一例の全体正面図である。
【図１５】実施例４の美顔マッサージ器の別形状の一例の全体正面図である。
【図１６】実施例４の美顔マッサージ器の別形状の一例の全体正面図である。
【図１７】実施例４の美顔マッサージ器の別形状の一例の全体正面図である。
【図１８】実施例５の美顔マッサージ器の別形状の一例の斜視図である。
【図１９】実施例６の美顔マッサージ器の別形状の一例の使用図である。
【図２０】実施例６の美顔マッサージ器の別形状の一例を上面視したものである。
【図２１】実施例７の美顔マッサージ器本体用のカバーの一例の正面図である。
【図２２】実施例８の美顔マッサージ器本体用のケーススタンドの一例の全体正面図である。
【図２３】実施例８の美顔マッサージ器本体用のケーススタンドの一例の全体側面図である。
【発明を実施するための形態】
【００１２】
次に、本発明に係わる美顔マッサージ器の実施態様について図面に基づいて詳しく説明
する。
【００１３】
図１は本発明に係わる美顔マッサージ器１の一例の正面図を示し、押圧部１，２と
指穴５，６を備えた形で構成される。軸４を支点として一定角度まで回動自在とする。
押圧部１，２は顔面口内共に傷をつけることのないよう丸みの帯びた形状に形成し、
指穴５，６や握持部分７の形状を非対称にすることによって握持方向を示唆する。
さらに、隙間３を設けることで目的箇所以外の口唇等を挟まないような形状をして
いる。
【００１４】
器具本体Ａ、Ｂ、Ｃに関して、素材はプラスチックが主に考えられるが、その他硬質
ゴムや金属等の材質にても可能である。表面に抗菌剤を塗布するなどして衛生に使用
できるようにしてもよい。また、それぞれの目的に見合った素材を使用できる。
【００１５】
押圧部１、２に関して、エラストマー等の弾性材を被覆させることにより、顔面や
口内が傷つくことを防止することができる。
【００１６】
指穴５，６部分に関して、波形状や凹凸などといった突起を成形するか、または、
エラストマー等の弾性材を被覆、部品追加するなどして滑り防止や握った感覚を向上
させることができる。
【００１７】
図２においては美顔マッサージ器１の一例の使用した状態の正面図である。この美顔
マッサージ器を使用するには、一般的なハサミのように指穴１３、１４部に指を嵌め
込み握持し、押圧部９を外側、押圧部１０を口内に入れ、頬等Ｓを外側と内側から挟
むようにして揉み解す。力がかけやすく、指先での微妙な力加減が可能なので、使用
者の望む強さで効率よく刺激を与えることができる。また、握持部１５を持って押圧
部背面８を使い、口内と外側から挟んで圧迫することができない箇所を摺動させマッ
サージすることができる。
【００１８】
押圧部内側及び背面８には、磁気作用のあるもの、遠赤外線又はマイナスイオンを
発生するもの、トルマリンやゲルマニウムなど健康や美容に効果がある材質を使用
してその効果を付加するのもよい。
【００１９】
押圧部９、１０については、押圧部内側の咬合部１１に突起を成形し、隙間３の箇所
に目的箇所以外の口唇等を挟む事のない様に隙間を設けてあるため、容易で安全にマ
ッサージでき、また、押圧部内側咬合部１２の突起で好みの箇所に刺激を与えやすく
なり、脂肪や口内のツボ、リンパ、筋肉等を効率よく揉み解すことが出来る。
【００２０】
押圧部内側の咬合部１１に成形する突起は、一対もしくは片側一方で設ける場合、圧迫
する点が集中し、強い圧迫を容易にできる。また複数での組み合わせで設ける場合は、
圧迫を数点に分散させ広い範囲のマッサージをすることができる。それぞれの目的に
応じて突起の数や大きさ、形状、位置を定められる。
【００２１】
以下、本発明の実施例を図面に基づいて詳しく説明する。
【実施例１】
【００２２】
図３に示す実施例１では、図２と同様に握持部１３，１４にて握持し、押圧部９，１０
で頬を外側と内側から挟むようにして揉み解す。押圧部９，１０の咬合部１２について
は例として、図４、図５のような球状、もしくは図６のような凹凸形状、図７のような
対になった凸形状、図８のような凸形状と平らな形状、図９のように弾力のある素材ま
たは構造などといった形状で咬合させることにより押圧し、刺激を与えることができ
る。またそれぞれを複合させたものも考えられる。
【実施例２】
【００２３】
図１０に示す実施例２では、図２と同様に握持部１３，１４にて握持し、押圧部２０，
２１で頬を外側と内側から挟むようにして揉み解す。押圧部２０，２１の咬合部２２
については、図１１のように軸２３を中心にして双方向に回転するローラーや、図１２
のようにボール２４を押圧部２０とパネル２５で挟むように保持させ、全方向に回転す
る機構を用いて、揉むだけでなく、転がすことによっても同等の効果が得ることができ
る。実施例１の咬合部と複合させた形状も効果が得られる。
【実施例３】
【００２４】
図１３に示す実施例３は美顔マッサージ器の別形状の一例である。握持部３４，３５
にて握持し、軸３３を軸として一定角度まで回動自在とする。押圧部３０，３１にて頬
等を内側と外側から押圧し、マッサージする。弾性体３６や図１４中の弾性体３７のよ
うにエラストマー等の弾性体やバネ類などの弾性構造体を用いることにより、握る動作
のみでマッサージが可能となり効率よくマッサージできる。押圧部３０，３１の咬合部
３２については、実施例１，２と同等の仕様でも同じ効果が得られる。
【実施例４】
【００２５】
図１５、１６に示す実施例４は美顔マッサージ器の別形状の一例である、実施例１〜３
とは異なり、図１中の軸４、図１３中の軸３３のような部品を用いず、握持部４５を握
持し本体Ｄ，Ｅの弾性を利用することによって押圧部４０，４１にて押圧する。隙間
４２を設けることにより、目的箇所以外の口唇等を挟むことなくマッサージすること
ができる。また、図１７のように、軸４６のような部品を用いた構成であっても弾性体
４３を用いることにより、適切な反発力を得ることができる。尚押圧部４０，４１の咬
合部４４の形状については実施例１、２と同等のものでも効果が得られる。
【実施例５】
【００２６】
図１８に示す実施例５は美顔マッサージ器の別形状の一例である。本体がＦ、Ｇと別体
で形成されており、Ｆ，Ｇそれぞれで使用できる。取り付け口５０に突起５１を通すこ
とによって一体化させ、握持部５２，５３を共に握持し５０，５１を軸として押圧部
５４，５５で押圧する。押圧部５４、５５に関しては、実施例１、２と同形状のもの
でも同等の効果が得られる。
【実施例６】
【００２７】
図１９に示す実施例６は美顔マッサージ器の別形状の一例である。本体ＨとＩからなる
一対の別体式の美顔マッサージ器で、Ｈを図２０のように歯Ｔと頬等Ｓの間に入れ、Ｉ
で外から押圧したり、摺動する等マッサージすることにより、上記実施例１〜５の美顔
マッサージ器と同等に効率よくマッサージすることができる。
【実施例７】
【００２８】
図２１に示す実施例７は、本体のカバーの一例である。携行する場合、本体のみをかば
ん等に入れて持ち歩くとすると不衛生であり、使用後の本体をそのまま鞄等に入れると
鞄内の他の物が汚れてしまうなど都合が悪い。そのため本体にツメや切欠きなど簡単に
外れないような構造を設けたカバーＪを、プラスチック系素材や硬質ゴム等の素材で形
成し、未使用時に装着することにより携行することもできる。
【実施例８】
【００２９】
図２２，２３に示す実施例８は、本体のケースの一例である。使用後にそのまま机や洗
面台等に置くことは、不衛生であり収納性も悪い。図１９，２０のように本体の押圧部
が収まるように挿入口８０を設け、自立するような構造を設けたケーススタンドＫを形
成することにより、衛生的に使え、且つ収納性を高めることができる。
【００３０】
以上、本発明に係わる美顔マッサージ器について詳細に説明してきたが、本発明は上述
の引用、例示に限定されず、美顔マッサージ器の構成や形状、形成する素材や方法につ
き、本発明の趣旨を逸脱しない範囲で、当業者の知識に基づき種々なる改良、修正、変
化を加えた態様で実施し得るものである。
【産業上の利用可能性】
【００３１】
本発明の美顔マッサージ器は、容易に効率よく美顔マッサージを行えるものであり、
産業上の利用可能性の高いものである。
【符号の説明】
【００３２】
１、２      押圧部
３          隙間
４          軸
５、６      指穴
７          握持部
８          押圧部背面
９、１０    押圧部
１１、１２  咬合部
１３、１４  指穴
１５        握持部
２０、２１  押圧部
２２        咬合部
３０、３１  押圧部
３２        咬合部
３３        軸
３４、３５  握持部
３６、３７  弾性体
４０、４１  押圧部
４２        隙間
４３        弾性体
４４        咬合部
５０        取り付け口
５１        突起
５２、５３  握持部
５４、５５  押圧部
８０        挿入口
Ａ  本体Ａ
Ｂ  本体Ｂ
Ｃ  本体Ｃ
Ｄ  本体Ｄ
Ｅ  本体Ｅ
Ｆ  本体Ｆ
Ｇ  本体Ｇ
Ｈ  本体Ｈ
Ｉ  本体Ｉ
Ｊ  カバー
Ｋ  ケーススタンド
Ｓ  頬等
Ｔ  歯
【図１】
2011083521.tif 000003
【図２】
2011083521.tif 000004
【図３】
2011083521.tif 000005
【図４】
2011083521.tif 000006
【図５】
2011083521.tif 000007
【図６】
2011083521.tif 000008
【図７】
2011083521.tif 000009
【図８】
2011083521.tif 000010
【図９】
2011083521.tif 000011
【図１０】
2011083521.tif 000012
【図１１】
2011083521.tif 000013
【図１２】
2011083521.tif 000014
【図１３】
2011083521.tif 000015
【図１４】
2011083521.tif 000016
【図１５】
2011083521.tif 000017
【図１６】
2011083521.tif 000018
【図１７】
2011083521.tif 000019
【図１８】
2011083521.tif 000020
【図１９】
2011083521.tif 000021
【図２０】
2011083521.tif 000022
【図２１】
2011083521.tif 000023
【図２２】
2011083521.tif 000024
【図２３】
2011083521.tif 000025